(57)【特許請求の範囲】
【請求項１】
機構板が前面枠裏面側にヒンジ具を介して回動自在に装着されるパチンコ機において、
前記ヒンジ具を、軸受板を有すると共に該軸受板に軸孔を穿設したヒンジ部材と軸受板を有すると共に該軸受板に前記軸孔に嵌挿する軸ピンを設けたヒンジ部材とにより構成し、
前記前面枠側のヒンジ部材に前記機構板を開放したとき該機構板側のヒンジ部材の軸受板が挟持される鉤型の挟持部を設けたことを特徴とするパチンコ機。
【請求項２】
機構板が前面枠裏面側にヒンジ具を介して回動自在に装着されるパチンコ機において、
前記ヒンジ具を、軸受板を有すると共に該軸受板に軸孔を穿設したヒンジ部材と軸受板を有すると共に該軸受板に前記軸孔に嵌挿する軸ピンを設けたヒンジ部材とにより構成し、
前記前面枠側のヒンジ部材の軸受板下部に前記機構板を開放したとき該機構板の側面が当接する支持部を設けたことを特徴とするパチンコ機。
【発明の詳細な説明】
【０００１】
【発明の属する技術分野】
本発明は、機構板が開閉自在に装着されたパチンコ機に関するものである。
【０００２】
【従来の技術】
従来のパチンコ機は、機構板が前面枠裏面にヒンジ具を介して回動自在に装着され、開放側を固定具により遊技盤裏面に密着固定していた。前記ヒンジ具は、軸ピンを有するヒンジ部材と軸孔を有するヒンジ部材とで構成され、一方のヒンジ部材が前面枠側の遊技盤取付枠に固着され、他方のヒンジ部材が機構板の一側に固着されている。該ヒンジ部材は、金属片を直角に曲げて取付台板と軸受板とを形成し、該軸受板に軸ピンまたは軸孔が設けられている。
【０００３】
また機構板は、球タンクやタンクレールあるいはパチンコ球払出装置，入賞球処理装置、さらにはこれらの電気的部品を駆動制御するための配電盤や電子回路基板等の裏機構が集約して組付けられており、しかも球タンクに貯留されるパチンコ球の球重量によって機構板全体の重量が非常に重いものである。
【０００４】
【発明が解決しようとする課題】
このため、上記のようなパチンコ機にあっては、遊技中のトラブル発生等により機構板を開いたときにその重みによってヒンジ部材が歪み機構板が傾いた状態となる。このように機構板が傾くと機構板が開閉し難くなったり、軸孔が変形してがたつきをおこす原因となった。また機構板が傾くと閉じる際に固定具の係止位置がずれて、機構板を手で持ち上げて正しい係止位置に合せなければならず大変面倒で煩わしいものであった。
【０００５】
そこで本発明はこのような課題を解決すべくなされたもので、その目的とするところは、ヒンジ部材を改良して機構板を開いた際に傾くことがないパチンコ機を提供をすることにある。
【０００６】
【課題を解決するための手段】
上記目的を達成するために本発明は、軸受板に軸孔と軸ピンを設け、かつ前面枠側と機構板側に取付けるヒンジ部材を介して機構板を前面枠裏面側に回動自在に装着すると共に、固定具により遊技盤裏面に密着するようにしたパチンコ機において、前記軸孔を有するヒンジ部材の軸受板を肉厚とし、軸ピンの保持力を高めるようにし、軸受板の肉厚を軸ピンとほぼ同じにするとよい。
【０００７】
また、軸受板に軸孔と軸ピンを設け、かつ前面枠側と機構板側に取付けるヒンジ部材を介して機構板を前面枠裏面側に回動自在に装着すると共に、固定具により遊技盤裏面に密着するようにしたパチンコ機において、前記前面枠側のヒンジ部材に機構板の開放時に機構板側のヒンジ部材の軸受板が挟持される挟持部を設けた。なお、該挟持部は前面枠側のヒンジ部材の上部に位置して設けるのが好ましい。
【０００８】
また、軸受板に軸孔と軸ピンを設け、かつ前面枠側と機構板側に取付けるヒンジ部材を介して機構板を前面枠裏面側に回動自在に装着すると共に、固定具により遊技盤裏面に密着するようにしたパチンコ機において、前記前面枠側のヒンジ部材の軸受板下部に、機構板の側面が当接する支持部を設けた。
【０００９】
さらに、前記ヒンジ部材を樹脂により成形するようにして、コストを安くすると共に、加工がし易く機構板等と一体成形を可能とした。
【００１０】
前記ヒンジ部材は取付台板と該取付台板から垂設した軸受板とからなり、取付台板を介してビス着するのが好ましい。
【００１１】
前記ヒンジ部材の軸受板下面に補強用のリブ壁を設けるのが好ましい。
【００１２】
前記ヒンジ部材の軸ピンを軸孔の深さよりも長めに形成し、ヒンジ部材の軸孔に連通する軸支持部を軸受板下部に形成し、機構板を開放したとき軸孔から突出した軸ピンの先端部が軸支持部により支持されて機構板の傾動をより確実に防止するようにするのが好ましい。なお、軸支持部は、前記補強用のリブ壁を利用するようにしてもよい。
【００１３】
上記のように構成されたパチンコ機は、前面枠裏面側に開閉自在に装着した機構板を開いた際に傾くことなく、機構板の開閉操作を楽に行うことができ、固定具と係止部の係止も無理なく円滑に行うことができる。
【００１４】
【発明の実施の形態】
以下に本発明に係わるパチンコ機の実施の形態を図面と共に説明する。図１はパチンコ機の裏面図、図２は機構板を開放した状態のパチンコ機の斜視図である。図において１はパチンコ機の機枠、２は機枠１の前面に開閉自在に設けられる前面枠である。該前面枠２の裏面には遊技盤取付枠３を介して遊技盤４が着脱自在に取り付けられる。該遊技盤４の裏面には、合成樹脂製の機構板５がヒンジ具６により開閉可能に装着されている。
【００１５】
この機構板５の裏面上部には球タンク７が固着されており、該球タンク７の下方にはタンクレール８が設けられている。また、タンクレール８の下流端は屈曲レール９を介してパチンコ球払出装置１０に接続されており、該パチンコ球払出装置１０の下方には払い出されたパチンコ球をパチンコ機前面の打球供給皿（図示せず）に導く排出樋１１が設けられている。
【００１６】
また機構板５の遊技盤４裏面と相対する前面側には球寄せ空間１２が形成され、該球寄せ空間１２の下方部には上面が開口した入賞球集合部１３が設けられている。そして、その出口と連通状に入賞球を一列で導き出す入賞球通路１４を介して入賞球集合部１３に集められた入賞球を一個ずつ排出処理する入賞球処理装置１５が設けられている。
【００１７】
一方、前記機構板５を遊技盤４の裏面に密着固定させるために、機構板５の開放側の上下部にいわゆる「ナイラッチ」と呼ばれる固定具１６，１６が取着され、遊技盤取付枠３の一側上下部に係止部１７，１７が形成されている。該固定具１６，１６と係止部１７，１７は、機構板５を遊技盤４の裏面に密着させて合致する位置が選ばれ、固定具１６，１６を係止部１７，１７に係止することで機構板５を遊技盤４の裏面に密着固定させることができるようになっている。
【００１８】
しかして前記ヒンジ具６は、図３に示すように軸孔１８を有するヒンジ部材１９と軸ピン２０を有するヒンジ部材２１とで構成される。該ヒンジ部材１９，２１は取付台板２２と該取付台板２２から垂設した軸受板２３とからなり、ヒンジ部材１９の軸受板２３に軸孔１８が穿設され、他方のヒンジ部材２１の軸受板２３に軸ピン２０が設けられている。またヒンジ部材１９は、軸受板２３をヒンジ部材２１の軸ピン２０とほぼ等しい肉厚とし、該軸受板２３下面に補強用のリブ壁２４を設けている。ヒンジ部材１９は取付台板２２に設けたビス孔２５，２５を介して遊技盤取付枠３の一側上下にビス着２６，２６され、ヒンジ部材２１は取付台板２２に設けたビス孔２５，２５を介して前記ヒンジ部材１９の取付け位置に合致して機構板５の一側上下にビス着２６，２６される。
【００１９】
このように構成されたヒンジ具６は、機構板５の一側上下に固着したヒンジ部材２１，２１の軸ピン２０を、遊技盤取付枠３の一側上下に固着したヒンジ部材１９，１９の軸孔１８に上方から嵌挿することで、ヒンジ部材１９，１９の軸受板２３，２３にヒンジ部材２１，２１の軸受板２３，２３が支持されて機構板５を開閉自在に装着でき、軸ピン２０は図４に示すように軸孔１８にしっかりと包含保持され機構板５を開放しても傾動することがない。このため、機構板５を閉じた際に自然に固定具１６，１６と係止部１７，１７の係止位置が合致して無理なく係止することができる。なお、ヒンジ部材１９を機構板５に取付け、軸ピン２０を軸受板２３の上面に設けたヒンジ部材２１を遊技盤取付枠３に取付けてもよい。
【００２０】
図５および図６に示すように、ヒンジ部材２１は図５に示すように軸ピン２０を前記実施の形態よりも長めに形成し、ヒンジ部材１９Ａは軸孔１８に連通する軸支持部２７を取付台板２２に形成し、図６に示すように機構板５を開放した状態のとき軸孔１８から突出した軸ピン２０の先端部が軸支持部２７により支持されて機構板５の傾動をより確実に防止する。なお、軸支持部２７は、前記リブ壁２４を利用するようにしてもよい。
【００２１】
図７ないし図１０に示すように、ヒンジ部材１９Ｂは軸受板２３の取付台板２２寄り上面に鉤型の挟持部２８を設けており、図８実線に示す機構板５を閉じた状態から図８鎖線に示す機構板５を開放したとき、図９に示すようにヒンジ部材２１の軸受板２３先端が挟持部２８に嵌まり込むようになっており、軸ピン２０に掛かる負担を軽減して機構板５の傾動を防止するようにしている。なお、図１０に示すように挟持部２８を設けたヒンジ部材２１Ａを遊技盤取付枠３に取付けて、機構板５のヒンジ部材１９の軸受板２３先端が挟持部２８に嵌まり込むようにしてもよい。
【００２２】
図１１および図１２はヒンジ部材のさらに他の実施の形態を示すもので、ヒンジ部材１９Ｃは、図１１に示すように軸受板２３の下部に位置して取付台板２２に機構板５の側面が当接する支持部２９を形成している。該支持部２９は図１２に示すように機構板５を開放したとき、常に機構板５の側面が当接するように軸ピン２０を支点とした円弧面を有しており、機構板５が傾動することはない。
【００２３】
また上記したヒンジ部材１９，１９Ａ〜１９Ｃ，２１，２１Ａを樹脂により成形することで軽量化が図れると共にコストを安くすることができる。さらに加工がし易く、合成樹脂製の遊技盤取付枠３，機構板５等との一体成形が可能となり、取付ビスが不要となると共に、取付ける手間がなくなる。
【００２４】
本発明は上記のような構成であるから、固定具１６を解除して機構板５を開放しても機構板５が傾動することはなく、回動がスムーズとなる。
【００２５】
【発明の効果】
以上に述べたように本発明に係わるパチンコ機は、ヒンジ部材を改良して前面枠裏面側に開閉自在に装着した機構板を開いた際に傾くことなく、機構板の開閉操作を楽に行うことができ、固定具と係止部の係止も無理なく円滑に行うことができる。
【００２６】
さらに、ヒンジ部材を樹脂により成形することで、軽量化が図れると共にコストが安くすみ、加工がし易く遊技盤取付枠や機構板との一体成形が可能となり組みつけの手間が省ける。さらには産業廃棄物処理の際にもいちいちヒンジ部材を外すことなく処理ができる等多くの効果を有する。
【図面の簡単な説明】
【図１】  パチンコ機の裏面図。
【図２】  機構板を開放した状態のパチンコ機の斜視図。
【図３】  機構板を取り外した状態の要部斜視図。
【図４】  ヒンジ具の要部断面図。
【図５】  ヒンジ部材の斜視図。
【図６】  ヒンジ具の要部断面図。
【図７】  ヒンジ部材の斜視図。
【図８】  ヒンジ具の要部平面図。
【図９】  他の実施の形態のヒンジ具の要部断面図。
【図１０】  他の実施の形態のヒンジ部材の斜視図。
【図１１】  他の実施の形態のヒンジ部材の斜視図。
【図１２】  他の実施の形態のヒンジ具の要部断面図。
【符号の説明】
２                              前面枠
３                              遊技盤取付枠
４                              遊技盤
５                              機構板
１６                            固定具
１８                            軸孔
１９，１９Ａ，１９Ｂ，１９Ｃ    ヒンジ部材
２０                            軸ピン
２１，２１Ａ                    ヒンジ部材
２２                            取付台板
２３                            軸受板
２７                            軸支持部
２８                            挟持部
２９                            支持部
【図１】
0004248048.tif 000002
【図２】
0004248048.tif 000003
【図３】
0004248048.tif 000004
【図４】
0004248048.tif 000005
【図５】
0004248048.tif 000006
【図６】
0004248048.tif 000007
【図７】
0004248048.tif 000008
【図８】
0004248048.tif 000009
【図９】
0004248048.tif 000010
【図１０】
0004248048.tif 000011
【図１１】
0004248048.tif 000012
【図１２】
0004248048.tif 000013